(57)【要約】【課題】  人間の皮膚模様に近い表面状態を再現することができる擬似皮膚、及びその擬似皮膚を容易に製造することができる製造方法を提供する。【解決手段】  シリコーン樹脂よりなる合成樹脂シート材１２の表面に対してレーザ加工により複数の皮溝様溝１３を加工して、各皮溝様溝１３間に三角形状または菱形状の皮丘様丘１４を形成する。必要に応じて、皮溝様溝１３の深さに変化を付与する。皮丘様丘１４には複数の微少すじ様すじ１５を形成する。皮溝様溝１３の交点あるいはその近傍には毛穴様穴１６を形成する。【選択図】      図１
2006230703.tif 000002
【特許請求の範囲】
【請求項１】
合成樹脂シート材の表面に対してレーザ加工により複数の皮溝様溝を加工して、各皮溝様溝間に多角形状の皮丘様丘を形成したことを特徴とする擬似皮膚。
【請求項２】
前記皮溝様溝の深さに変化を付与したことを特徴とする請求項１に記載の擬似皮膚。
【請求項３】
前記皮丘様丘に複数の微少すじ様すじを形成したことを特徴とする請求項１または請求項２に記載の擬似皮膚。
【請求項４】
前記皮溝様溝の交点あるいはその近傍に毛穴様穴を形成したことを特徴とする請求項１〜請求項３のうちのいずれか一項に記載の擬似皮膚。
【請求項５】
前記毛穴様穴が貫通孔として形成されていることを特徴とする請求項４に記載の擬似皮膚。
【請求項６】
前記皮丘様丘が三角形状をなすように前記皮溝様溝を形成したことを特徴とする請求項１〜５のうちのいずれか一項に記載の擬似皮膚。
【請求項７】
前記合成樹脂シート材がシリコーン樹脂よりなることを特徴とする請求項１〜請求項６のうちのいずれか一項に記載の擬似皮膚。
【請求項８】
ローラの外周面に支持された合成樹脂シート材に対して皮溝様溝加工のためのレーザ光を照射することにより、請求項１〜請求項７のうちのいずれか一項に記載の擬似皮膚を製造することを特徴とした擬似皮膚の製造方法。
【発明の詳細な説明】
【技術分野】
【０００１】
この発明は、例えばファンデーション等の化粧料の製造や販売に際して、実際に化粧料を塗布してパネルテスト等を行う場合に用いられる擬似皮膚、及びその擬似皮膚の製造方法に関するものである。
【背景技術】
【０００２】
従来、このようなパネルテスト等に用いられる擬似皮膚の製造方法としては、例えば、特許文献１に開示されるような方法が知られている。すなわち、この従来方法においては、人間の皮膚模様の採取に基づいてシリコーン樹脂製のマスタモデルを作成する。そして、このマスタモデルを型枠内にセットした状態で、マスタモデル上にウレタン樹脂を塗布または吹き付けることにより、人工皮膚の表面層に皮膚様の凹凸を成形している。
【０００３】
また、特許文献２に開示された方法においては、皮膚表面からレプリカしたシリコーン型上に、ウレタンを主成分とする皮膜形成成分を薄層することにより、人工角層を製造する方法が開示されている。さらに、この特許文献２においては、シリコーン薄膜上にエッジング工作機械により凹凸を刻み込んで、シリコーン型とするという方法が開示されている。
【特許文献１】特開平１１−９３３９号公報
【特許文献２】特開平１１−１６９４５３号公報
【発明の開示】
【発明が解決しようとする課題】
【０００４】
前述の特許文献１及び特許文献２に記載の製造方法におけるマスタモデル及びレプリカシリコーン型においては、人間の皮膚を写し取るものであるため、手間がかかるばかりでなく、個人差がそのまま写し取られて、汎用的なマスタモデル及びレプリカシリコーン型を得るのは難しい。従って、年齢層や性別、あるいは個人差等に対応した人工皮膚を得るために、手間のかかる皮膚形状の採取を異なる多数の個人を対象に数多く実行する必要があり、製造コストの高騰を招く要因となった。
【０００５】
しかも、人間の皮膚模様を細かい皺の深さ等まで忠実に写し取るのはきわめて困難で、仮に忠実に写し取ることができても、マスタモデルあるいはレプリカシリコーン型に正確に再現するのはさらに困難である。
【０００６】
加えて、マスタモデルやレプリカシリコーン型の小突起は欠落しやすく、また、小さい隙間には塵やマスタモデル等の一部等が詰まりやすく、このため、数枚の人工皮膚や人工角層の表面層を成形する間に、マスタモデルやレプリカシリコーン型上の細部形状が崩れて、その型機能が大幅に低下する。従って、人工皮膚等の製造を重ねていくごとに再現性が低下し、一つマスタモデルやレプリカシリコーン型から製造できる人工皮膚や人工角層の枚数には制約あった。このため、マスタモデルやレプリカシリコーン型を頻繁に新旧交換しなければならず、前述の場合と同様に、製造コストを低下させることができなかった。
【０００７】
これに対処するために、マスタモデルやレプリカ型のかわりに、金属型を用いることも考えられるが、金属型は、それ自体かなり高価であるうえ、この金属型では、皮膚の狭い皺等を再現する突起の形状がはじめから丸みを帯びてしまうのを避けることができず、再現性に難があった。
【０００８】
さらに、マスタモデルやレプリカ型を用いた場合、それらの上にウレタン等を薄層したり、その薄層の硬化ための時間を要したり、あるいは、硬化後のウレタンを破れないように注意深く剥離したりというように、製造に手間がかかり、生産性に劣るものであった。
【０００９】
また、前記特許文献２に記載のように、エッジング工作機械を用いて人工角層を製造する場合には、どのような種類の刃物工具を用いても、人間の皮膚の皺を削り出すのは、ほとんど不可能であり、人間の皮膚の形状から大きく離れた人工角層しか実現できない。
【００１０】
この発明は、このような従来の技術に存在する問題点に着目してなされたものである。その目的は、人間の皮膚模様に近い表面状態を再現することができるとともに、製造コストを低減できる擬似皮膚、及びその擬似皮膚を容易に製造することができる製造方法を提供することにある。
【課題を解決するための手段】
【００１１】
上記の目的を達成するために、請求項１に記載の擬似皮膚に係る発明は、合成樹脂シート材の表面に対してレーザ加工により複数の溝を加工して、各溝間に多角形上状の皮丘様丘を形成したことを特徴とするものである。
【００１２】
請求項２に記載の発明は、請求項１に記載の発明において、前記溝の深さに変化を付与したことを特徴とするものである。
請求項３に記載の発明は、請求項１または請求項２に記載の発明において、前記皮丘様丘に複数の微少すじ様すじを形成したことを特徴とするものである。
【００１３】
請求項４に記載の発明は、請求項１〜請求項３のうちのいずれか一項に記載の発明において、前記皮丘様溝の交点あるいはその近傍に毛穴様穴を形成したことを特徴とするものである。
【００１４】
請求項５に記載の発明においては、請求項４に記載の発明において、前記毛穴様穴が貫通孔として形成されていることを特徴とするものである。
請求項６に記載の発明においては、請求項１〜５のうちのいずれか一項に記載の発明において、前記皮丘様丘が三角形状をなすように前記皮溝様溝を形成したことを特徴とするものである。
【００１５】
請求項７に記載の発明は、請求項１〜請求項６のうちのいずれか一項に記載の発明において、前記合成樹脂シート材がシリコーン樹脂よりなることを特徴とするものである。
請求項８に記載の擬似皮膚の製造方法に係る発明は、ローラの外周面に支持された合成樹脂シート材に対して溝加工のためのレーザ光を照射することにより、請求項１〜請求項７のうちのいずれか一項に記載の擬似皮膚を製造することを特徴としたものである。
【００１６】
（作用）
請求項１に記載の擬似皮膚の発明においては、人間の皮膚模様に基づきレーザ加工により、合成樹脂シート材の表面に複数の皮溝様溝が加工されて、各皮溝様溝間に多角形状の皮丘様丘が形成されている。このため、擬似皮膚の表面状態を、人間の皮膚における複数の皮溝の深さ、及びそれらの皮溝間に形成された三角形状または菱形状等の多角形状をなす皮丘の形状や大きさまで、ほぼ忠実に擬似的に再現して形成することができる。
【００１７】
請求項２に記載の発明においては、合成樹脂シート材上の皮溝様溝の深さに、人間の皮膚における皮溝に相当する変化が付与されているため、擬似皮膚の表面状態を人間の皮膚模様により近付けて再現することができる。
【００１８】
請求項３に記載の発明においては、各皮溝様溝間の皮丘様丘に、人間の皮膚における皮丘上の細かい縦すじに相当する複数の微少すじ様すじが形成されているため、擬似皮膚の表面状態を人間の皮膚模様にいっそう近付けて再現することができる。
【００１９】
請求項４に記載の発明においては、皮溝様溝の交点あるいはその近傍に、人間の皮膚における皮溝の交点付近の毛穴に相当する毛穴様穴が形成されているため、擬似皮膚の表面状態を人間の皮膚模様にいっそう近付けて再現することができる。
【００２０】
請求項５に記載の発明においては、貫通させた毛穴様穴の裏面側から表面側に皮脂成分を染み出させたりする等、より人間の皮膚に近いモデルとして使うことができる。
請求項６に記載の発明においては、皮丘様丘が三角形状をなすため、人間の皮膚状態をほぼ忠実に再現した擬似皮膚を製造できる。
【００２１】
請求項７に記載の発明においては、合成樹脂シート材としてシリコーン樹脂が用いられているため、擬似皮膚として人間の皮膚により近い質感を再現することができる。
請求項８に記載の発明においては、ローラの外周面に合成樹脂シート材を支持した状態で、その合成樹脂シート材上にレーザ光を照射しているため、人間の皮膚模様に基づいて皮溝様溝の加工を効率よく施すことができる。
【発明の効果】
【００２２】
以上のように、この発明によれば、人間の皮膚模様に近い表面状態を再現することができる擬似皮膚を容易に、かつ低コストで製造することができる。
【発明を実施するための最良の形態】
【００２３】
以下に、この発明の一実施形態を、図面に基づいて説明する。
図１〜図３に示すように、この実施形態の擬似皮膚１１においては、合成樹脂シート材１２の表面に、人間の皮膚模様を模式化した表面パターンが形成されている。この表面パターンにおいては、レーザ加工により複数の皮溝様溝１３が加工されて、各皮溝様溝１３間に三角形状の皮丘様丘１４が形成されている。なお、図１及び図２においては、シート材１２の面積に比して表面パターンの皮溝様溝１３の配列ピッチを大きく描いたが、実際には皮溝様溝１３は、はるかに密に表れる。前記合成樹脂シート材１２として、硬度２０〜７０（ＪＩＳ  Ａ）、引張り強度０．４〜８．２ＭＰａ、伸び１３０〜７４０％、引裂強度２０〜２１０Ｎ／ｃｍ、シボ付き；面粗度Ｒｚ＝１０〜１５μｍ（ＪＩＳ  Ｂ  ０６０１−１９８２）の常温硬化型のシリコーン樹脂が用いられている。なお、この合成樹脂シート材１２として、表面にシボ付きのものを用いることにより、より擬似的な皮膚となるばかりでなく、静電気を防いでゴミ、チリ等の付着を少なくすることができる。
【００２４】
ところで、人間の皮膚の表面は以下のようになっている。すなわち、まず人間の皮膚模様を撮影して、拡大するとともに画像処理にて単純化すると、図５（ａ）に示すような図形が作られる。この図形から明らかなように、人間の皮膚の表面は、いわゆる皺である複数の皮溝２１と、それらの皮溝２１で囲まれた凸部である皮丘２２と、各皮溝２１の交点付近に形成された毛が伸びている毛穴２３とを備えている。そして、皮丘２２の多くは三角形状で、ところにより菱形状をなしている。また、その三角形または菱形のサイズは、一辺の長さが平均０．１〜０．７ｍｍ程度で、周囲の皮溝２１の深さが約１０〜２００μｍ程度となっている。さらに、各皮丘２２の表面には、図５（ａ）の一部分に示すように、皺状の複数の微少すじ２４が不規則に見えるように形成されている。また、人間の皮膚は年齢を経るごとの老化あるいは乾燥等の変化によって、その皮丘２２が大きくなるまたは変形する等のサイズの変化が生じるとともに、皮溝２１の深さも大きくなったり、逆に浅くなったりする傾向にある。言い換えると、老化により皺が深く深く刻まれることになるが、乾燥等により浅くなることもある。
【００２５】
そこで、前記擬似皮膚１１の表面パターンは、以下のような方法で作成されている。
すなわち、前記擬似皮膚１１の表面パターンの作成に際しては、図５（ａ）に示すような人間の皮膚模様に基づく図形を簡略化してパターン化することにより、図５（ｂ）に示すような図形のデータが作られる。さらに、この図５（ｂ）の図形を模式化することにより、図５（ｃ）に示すようなモデルパターンのデータが作られる。この図５（ｃ）のモデルパターンのデータは、３方向へ平行に延びる複数の線により形成される複数の正三角形を整列配置した構成となっている。
【００２６】
そして、この実施形態の擬似皮膚１１では、前記のようなモデルパターンを表面パターンとして用いて、合成樹脂シート材１２の表面に人間の皮膚の皮溝２１に相当する複数（多数）の皮溝様溝１３が加工されて、人間の皮膚の皮丘２２に相当する複数（多数）の三角形状の皮丘様丘１４が形成されている。この場合、図２及び図３（ａ）に示すように、人間の年齢に応じて、皮丘様丘１４を形成する三角形状の一辺の長さＬ１が０．０５〜２．５０ｍｍの範囲内、皮丘様丘１４の周囲の皮溝様溝１３の深さＬ２が１０〜２００μｍの範囲内となるように設定される。ここで、前記長さＬ１が短いと鮮明な皮丘が形成されず、逆に長さＬ１が長いと擬似皮膚としての印象が低下する。
【００２７】
また、図１〜図３に示すように、この実施形態の擬似皮膚１１においては、人間の皮膚における皮溝２１の深さの変化に対応して、合成樹脂シート材１２上の皮溝様溝１３の深さＬ２に変化が付与されている。さらに、各皮溝様溝１３間の皮丘様丘１４には、人間の皮膚における皮丘２２上の微少すじ２４に相当する溝状の複数の微少すじ様すじ１５が形成されている。しかも、各皮溝様溝１３の交点あるいはその近傍には、人間の皮膚における皮溝２１の交点付近の毛穴２３に相当する複数の毛穴様穴１６が形成されている。
【００２８】
次に、前記のような構成の擬似皮膚１１の製造装置について説明する。
図４に示すように、この製造装置においては、円筒状の支持ローラ１７が一方向へ回転可能に配設されている。そして、この支持ローラ１７の外周面には、前記合成樹脂シート材１２が粘着剤を有する貼着固定シート１８を介して、着脱可能に巻き付け貼着されて支持されるようになっている。支持ローラ１７の近傍には、合成樹脂シート材１２の表面にレーザ光を照射するためのレーザ加工機のレーザヘッド１９が支持ローラ１７の軸線方向へ移動可能に対向配置されている。レーザ加工機としては、炭酸ガスレーザ、赤外線レーザ等、各種のレーザ加工機を用いることができる。また、レーザ光は、連続波、パルス波のいずれであってもよい。
【００２９】
そして、前記支持ローラ１７の外周面に合成樹脂シート材１２が支持された状態で、支持ローラ１７が正方向または逆方向に回転されるとともに、レーザヘッド１９が支持ローラ１７の軸線方向へ移動されながら、レーザヘッド１９から合成樹脂シート材１２の表面にレーザ光が照射される。これにより、図１〜図３に示すように、合成樹脂シート材１２の表面に複数の皮溝様溝１３がレーザ加工されて、各皮溝様溝１３間に三角形状の皮丘様丘１４が形成される。なお、前記レーザヘッド１９の近傍には、レーザ加工にともなって発生する煙や塵を吸引するための吸引装置が設けられている。
【００３０】
前記レーザ加工の場合、図５（ｃ）に示すようなモデルパターンを表面パターンとして用いる。そして、その表面パターンを所定のデータとして図示しない制御装置に入力することで、支持ローラ１７の回転、レーザヘッド１９の移動及びレーザヘッド１９からのレーザ光の照射出力等を制御する。これによって、合成樹脂シート材１２の表面には、表面パターンに基づく所要深さＬ２の複数の皮溝様溝１３がレーザ加工されて、各皮溝様溝１３間に一辺が所定長さＬ１の三角形状の皮丘様丘１４が形成される。
【００３１】
また、この合成樹脂シート材１２のレーザ加工時には、レーザヘッド１９からのレーザ光の照射出力が変動されることにより、皮溝様溝１３の深さＬ２に溝延長方向において浅深変化が付与される。さらに、各皮溝様溝１３の交点あるいはその近傍には、レーザヘッド１９からのレーザ光の照射出力が局部的に強められることにより、複数の毛穴様穴１６が形成される。しかも、微少すじ様すじ１５の形成の有無は、レーザ加工装置の制御部に所定のデータを入力することにより、随時形成することができる。なお、毛穴様穴１６の形成、微少すじ様すじ１５の形成等の各加工は、製造装置を１回動作させることで１度に行ってもよいし、各加工ごとに製造装置を動作させてもよい。
【００３２】
以上のように、この実施形態の擬似皮膚１１においては、レーザ加工により、合成樹脂シート材１２の表面に人間の皮膚模様を変遷させた複数の皮溝様溝１３が加工されて、各皮溝様溝１３間に三角形状の皮丘様丘１４が形成されている。このため、擬似皮膚１１の表面状態を、人間の皮膚における皮溝２１の深さ、及びそれらの皮溝２１間に形成された三角形状をなす皮丘２２の形状や大きさまで、擬似的に再現して形成することができる。よって、この擬似皮膚１１にファンデーション等の化粧料を塗布してパネルテスト等を行った場合、人間の皮膚と同様に擬似皮膚１１の表面に化粧料を均一に塗布することができる。
【００３３】
また、この擬似皮膚１１の表面パターンとしては、人間の皮膚模様を単純化して、パターン化及びモデル化して作成したモデルパターンが用いられている。このため、モデルパターンのデータを変更するのみで、皮丘様丘１４を形成する三角形状の一辺の長さＬ１や、皮丘様丘１４の周囲の皮溝様溝１３の深さＬ２を、特定の人間の年齢や性別に見立てて任意に設定することができる。従って、多数の個人から皮膚形状を採取したりする面倒さを避けることができる。その上、特殊な皮膚形状や、あるいは理想的な皮膚形状を簡易に何度でも再現することができる。
【００３４】
さらに、この擬似皮膚１１においては、合成樹脂シート材１２上の皮溝様溝１３の深さに、人間の皮膚における皮溝２１に相当する変化が付与されている。しかも、各皮溝様溝１３間の皮丘様丘１４には、人間の皮膚における皮丘２２上の微少すじ２４に相当する複数の微少すじ様すじ１５が形成されるとともに、皮溝様溝１３の交点あるいはその近傍には、人間の皮膚における皮溝２１の交点付近の毛穴２３に相当する毛穴様穴１６が形成されている。よって、擬似皮膚１１の表面状態を人間の皮膚模様によりいっそう擬似的に近付けて再現することができる。そして、皮溝様溝１３の深さの変化や、毛穴様穴１６の有無等をレーザ光の照射出力を変更するのみで、得ることができて、きわめて簡単である。また、図３（ｂ）に示すように、毛穴様穴１６をレーザ出力変更により貫通させることもできる。さらに、貫通させた毛穴様穴１６の裏面側（図３（ｂ）の下側）から表面側に皮脂成分を染み出させたりする等、より人間の皮膚に近いモデルとして使うこともできる。
【００３５】
また、この実施形態の擬似皮膚１１の製造方法においては、支持ローラ１７の外周面に合成樹脂シート材１２を支持した状態で、その合成樹脂シート材１２上にレーザ光を照射するのみで皮溝様溝１３の加工を行っている。このため、所要の表面状態の擬似皮膚１１を容易かつ短時間で製造することができる。
【００３６】
この実施形態における効果を列挙すれば以下の通りである。
・  人間の皮膚を擬似的に再現でき、化粧料のパネルテスト等を行う場合、人間の皮膚と同様な作用あるいは現象を得ることができ、そのパネルテスト等を効果的に行うことができる。
【００３７】
・  表面パターンとして、単純化したモデルパターンが用いられているため、モデルパターンのデータを変更するのみで、人間の年齢や性別に対応した擬似皮膚を簡単に製造できる。
【００３８】
・  擬似皮膚の製造をレーザ加工により行っているため、モデルパターンを具現化した擬似皮膚を簡単かつ迅速に製造でき、同一パターンのものであっても、異なるパターンのものであっても、連続して効率よく製造できる。
【００３９】
・  擬似皮膚の製造をレーザ加工により行っているため、レーザ出力を変更するのみで、皮溝様溝１３の深さや毛穴様穴１６に形成において、人間の皮膚に近い形状を与えることができる。従って、より人間の皮膚に近い擬似皮膚としての機能を付加することができる。
【００４０】
・  レーザ加工に際して合成樹脂シート材１２を支持ローラ１７に支持するのみで、微少すじ様すじ１５を形成でき、その微少すじ様すじ１５の形成がきわめて簡単である。
【実施例】
【００４１】
図６（ａ）及び（ｂ）に示すような実施例１，２の擬似皮膚を作成し、これらの擬似皮膚と、図７（ａ）〜（ｃ）に示すような表面パターンを有する比較例１〜３の合成皮革、及び図示しない参考例としての人間の皮膚と比較試験を行ったところ、次のような結果が得られた。なお、図６及び図７の表面パターンは、５０倍拡大のマイクロスコープによる写真を模式化したものである。
【００４２】
すなわち、実施例１及び実施例２の擬似皮膚１１は、常温硬化型シリコーン樹脂（株式会社イノアックコーポレーション製の登録商標「マサシート」）であって、硬度２０（ＪＩＳ  Ａ）、引張り強度３．４ＭＰａ、伸び７４０％、引裂強度９０Ｎ／ｃｍ、シボ付き；面粗度Ｒｚ＝１５μｍ（ＪＩＳ  Ｂ  ０６０１−１９８２）のものを用いた。そして、実施例１の擬似皮膚１１としては、図６（ａ）に示すように、皮丘様丘１４が正三角形格子状で、その三角形状の一辺の長さＬ１が０．１４ｍｍ、皮丘様丘１４の周囲の皮溝様溝１３の深さＬ２が４０μｍで、皮丘様丘１４上の微少すじ様すじ１５は無しのものを作成した。また、実施例２としては、図６（ｂ）に示すように、皮丘様丘１４が正三角形格子状で、その三角形状の一辺の長さＬ１が０．１４ｍｍ、皮丘様丘１４の周囲の皮溝様溝１３の深さＬ２が４０μｍ、皮丘様丘１４上に微少すじ様すじ１５が５〜２０本あるものを作成した。
【００４３】
これに対して、比較例１〜３としては、合成皮革であって、図７（ａ）〜（ｃ）に示すように、散点状に突起４０が形成されたもの、不規則な爛れ模様状の凹凸４１が形成されたもの、散点状ではあるが図７（ａ）の場合よりも大きな突起４０を有するものを用意した。また、参考例の人間の皮膚としては、年齢３０代の女性の左手甲の皮膚表面を用いた。
【００４４】
この実施例１，２の擬似皮膚、比較例１〜３の合成皮革及び参考例の人間皮膚の表面に、粉体化粧品としてのパウダーファンデーションを塗布して、それらの塗布状態を外観観察により比較した。その結果、参考例の人間の皮膚の表面では、ファンデーション塗布後に、ファンデーション粒子が皮膚の皮溝に沿って均一に入り込んで、ファンデーションの塗りが良好な状態にあることがわかった。ファンデーションの塗りが良好である状態とは、ファンデーション粒子が皮溝を埋めて皮膚表面を平滑にするとともに、皮丘の表面に均一に分布して付着されていることをいう。
【００４５】
一方、実施例１の擬似皮膚では、ファンデーション塗布後に、人間の皮膚の皮溝に相当する複数の皮溝様溝１３中にファンデーション粒子が均一に存在して、ファンデーションの塗りが人間の皮膚に対する塗布状態に近いことが判った。また、実施例２の擬似皮膚でも、ファンデーション塗布後に、ファンデーション粒子が皮溝様溝１３中に均一に存在するとともに、皮丘様丘１４の表面の微少すじ様すじ１５中にも均一に分布して残留し、人間の皮膚に対する塗布状態に極めて類似していることが判った。
【００４６】
これに対して、比較例１〜３の人工皮革では、いずれも表面パターンの溝の中にファンデーション粒子が入り込んではいるが、その入り込み状況が均一でなく荒れており、人工皮革の表面にはほとんど残留していないで、人間の皮膚に対する塗布状態には程遠いことが判った。
（変更例）
なお、この実施形態は、次のように変更して具体化することも可能である。
【００４７】
・  皮丘様丘１４上の微少すじ様すじ１５をレーザ加工により施すこと。
・  図８に示すように、複数の皮溝様溝１３間に主として菱形状の皮丘様丘１４が形成されるように皮溝様溝１３を形成すること。あるいは、五角形や六角形等の多角形の皮丘様丘１４が形成されるようにすること。
【００４８】
・  人間の皮膚の皮溝等が忠実に再現されるように、皮溝様溝１３を模式化することなく再現すること。この場合には、例えば人間の皮膚を撮影して、それを画像処理することにより皮溝データを抽出し、その皮溝データに従ってレーザ加工により皮溝様溝１３を形成する。
【図面の簡単な説明】
【００４９】
【図１】一実施形態の擬似皮膚を示す斜視図。
【図２】図１の擬似皮膚の拡大平面図。
【図３】（ａ）は、図２の３−３線における部分拡大断面図、（ｂ）は、毛穴様穴を貫通させた例を示す断面図。
【図４】擬似皮膚の製造装置を示す斜視図。
【図５】（ａ）〜（ｃ）は、擬似皮膚の表面パターンの作成方法を示す図。
【図６】（ａ），（ｂ）は、比較試験に使用した実施例１及び２の擬似皮膚を示す平面図。
【図７】（ａ）〜（ｃ）は、比較試験に使用した比較例１〜３の合成皮革を示す平面図。
【図８】実施形態の擬似皮膚の変更例を示す平面図。
【符号の説明】
【００５０】
１１…擬似皮膚、１２…合成樹脂シート材、１３…溝、１４…皮丘様丘、１５…微少すじ様すじ、１６…毛穴様穴、Ｌ２…溝の深さ。
【図１】
2006230703.tif 000003
【図２】
2006230703.tif 000004
【図３】
2006230703.tif 000005
【図４】
2006230703.tif 000006
【図５】
2006230703.tif 000007
【図６】
2006230703.tif 000008
【図７】
2006230703.tif 000009
【図８】
2006230703.tif 000010